(57)【要約】【課題】異なる構造の画像データベースを持つものの間で、通信ネットワークを介して、画像情報を容易に相互利用できるようにすること。【解決手段】登録元端末のコンピュータ２１は、撮影した画像の内の所望画像をその分類と共に登録画像ファイル２９３に、またその分類と共に詳細情報を文字ファイル２９２に登録し、この登録された情報をネットワーク１を介して保管センタ３に送信する。保管センタ３は、この各情報を受信して保管し、また、利用先端末毎に対応付けられた予約分類を記憶し、上記保管した情報の内で、上記予約分類に該当する分類の画像及びその分類、詳細情報をセレクトして、対応する利用先端末にネットワーク１を介して送信する。利用先端末のコンピュータ２１は、受信した画像及びその分類、詳細情報を登録画像ファイル２９３及び文字ファイル２９２にファイリングし、各種形態に変換して出力する。【選択図】    図１
2005243018.tif 000002
【特許請求の範囲】
【請求項１】
少なくとも一つの登録者端末と、画像保管サーバと、少なくとも一つの利用者端末とを通信回線を介して接続してなる画像通信システムに於いて、
上記登録者端末は、
撮影された画像の内の所望画像に対してその分類及び詳細情報を含む属性情報を付加して登録する登録手段と、
該登録手段によって登録された画像とその属性情報を上記画像保管サーバに対して上記通信回線を介して送信する送信手段とを具備し、
上記画像保管サーバは、
上記通信回線を介して送信されてきた各情報を受信する受信手段と、
該受信手段によって受信された各情報を保管する保管手段と、
利用者端末毎に対応付けられた予約分類を記憶し、上記保管手段に保管された画像及びその属性情報の内で、上記予約分類に該当する画像及びその属性情報をセレクトし、該セレクトされた画像及びその属性情報を、対応する利用者端末に送信する送信手段とを具備し、
上記利用者端末は、上記画像保管サーバから受信された画像及びその属性情報をファイリングし、各種形態に変換して出力する手段を具備する、
ことを特徴とする画像通信システム。
【請求項２】
上記登録者端末の登録手段は、画像登録の際、対象画像を圧縮変換し、
上記登録者端末の送信手段は、この圧縮変換された画像と上記属性情報とを対応付けて上記画像保管サーバに送信し、
上記利用者端末は、上記画像保管サーバから圧縮画像を受信すると、その圧縮画像を解凍して、その画像に対応する上記属性情報と共にファイリングすることを特徴とする請求項１に記載の画像通信システム。
【請求項３】
上記画像保管サーバの保管手段は、各利用者端末向けの画像保管ボックスを有し、上記予約分類をその画像保管ボックスに対応付けて記憶し、
上記画像保管サーバの送信手段は、上記セレクトされた画像及び属性情報を、上記保管手段の対応する画像保管ボックスに保管し、この画像保管ボックスに保管された画像及び属性情報を、上記利用者端末からのアクセスに応じて送信することを特徴とする請求項１に記載の画像通信システム。
【請求項４】
上記登録者端末と利用者端末とは、同一端末であることを特徴とする請求項１に記載の画像通信システム。
【請求項５】
データベースレコードに対応する入力項目の表示画面を設定する際に、
上記データベースレコードの項目一覧を上記表示画面上に表示する処理と、
上記表示されたデータベースレコードの項目一覧の中で所望項目をドラッグ操作で指定し、その指定された項目を上記表示画面上の所望する位置にドロップ操作することにより、その表示画面上でドロップされた位置に上記指定項目を設定する処理と、
リンク対象となるファイルの参照レコードの項目一覧を上記表示画面上に表示する処理と、
上記表示された参照レコードの項目一覧の中で所望項目をドラッグ操作で指定し、その指定された項目を上記表示画面上に設定された所望の項目位置にドロップ操作することにより、その表示画面上でドロップされた位置の項目と上記設定項目とのデータリンクを設定する処理と、
をコンピュータに実行させる命令を含むプログラムを格納した、コンピュータが読み取り可能な記録媒体。
【請求項６】
１つの画像ファイルとその画像ファイルの画像に対応した詳細文字情報とを対応付けて複数記憶する処理と、
画像検索の際は、各画像ファイルの画像を一覧表示して、その中での所望する画像の選択により、対応する詳細文字情報を呼び出し、選択画像と共に表示する処理と、
文字検索の際は、上記詳細文字情報の一部の文字情報を一覧表示し、その中での所望する文字情報の選択により、その詳細文字情報及び対応する画像ファイルを呼び出し、詳細文字情報と画像とを共に表示する処理と、
をコンピュータに実行させる命令を含むプログラムを格納した、コンピュータが読み取り可能な記録媒体。
【発明の詳細な説明】
【技術分野】
【０００１】
本発明は、画像データを通信により送受信する画像通信システムに関する。
【背景技術】
【０００２】
近年、ＣＣＤ等の撮像デバイスによって撮像した画像データをメモり等に記憶しておくディジタルスチルカメラなどと呼ばれる電子カメラが開発され、市販されている。
また、このような電子カメラで撮影した画像データを、パーソナルコンピュータ側に取り込むアプリケーションも種々開発されている。
【発明の開示】
【発明が解決しようとする課題】
【０００３】
このような電子カメラで撮影した画像データの利用法としては、例えば、商品を撮影して得られた商品画像データを、当該商品についての他の情報（商品コード等の分類や、商品名、サイズ、価格等の詳細情報、以下、このような商品についての分類や詳細情報をまとめて、属性情報と称する）と共に商品マスタデータベースに取り込むことが考えられ、これは既に個々の企業や企業グループで実施されている。
【０００４】
しかしながら、それらの商品画像情報（画像データ＋属性情報）は、自社商品を中心に独自の入力手段により登録利用されているものであり、また、卸売業、小売業、あるいはチラシを作成する印刷業、広告業が必要の都度個別に行われている状況である。その結果、二重三重の工数や費用の負担増、大幅な時間ロスを招き、画像情報利用拡大の障害となっている。
【０００５】
そこで、画像情報の利用拡大を図るために、各企業を通信ネットワークにより結び、一つの画像情報を相互に利用できるようにすることが考えられるが、商品マスタデータベースは各社まちまちの構造となっているため、単純に通信ネットワークを介して画像情報をやりとりすることはできない。
【０００６】
これは、このような企業での利用に限らず、即ち、個人的な画像データとそれについてのコメント等を属性情報として記録した個人的な画像データベースから、商用ネットワークを介して他の個人との間で画像情報をやりとりしようとするときに於いても同様である。
本発明の課題は、異なる構造の画像データベースを持つものの間で、通信ネットワークを介して、画像情報を容易に相互利用できるようにすることである。
【課題を解決するための手段】
【０００７】
請求項１の発明の手段は次の通りである。
画像通信システムは、少なくとも一つの登録者端末と、画像保管サーバと、少なくとも一つの利用者端末とを通信回線を介して接続してなる。上記登録者端末の登録手段は、撮影された画像の内の所望画像に対してその分類（例えば、商品コード）及び詳細情報（例えば、商品名、サイズ、価格等の情報）を含む属性情報を付加して登録する。上記登録者端末の送信手段は、上記登録手段によって登録された画像とその属性情報を上記画像保管サーバに対して上記通信回線を介して送信する。上記画像保管サーバの受信手段は、上記通信回線を介して送信されてきた各情報を受信する。上記画像保管サーバの保管手段は、上記受信手段によって受信された各情報を保管する。上記画像保管サーバの送信手段は、利用者端末毎に対応付けられた予約分類を記憶し、上記保管手段に保管された画像及びその属性情報の内で、上記予約分類に該当する画像及びその属性情報をセレクトし、該セレクトされた画像及びその属性情報を、対応する利用者端末に送信する。上記利用者端末は、上記画像保管サーバから受信された画像及びその属性情報をファイリングし、各種形態に変換して出力する。
【０００８】
請求項１の発明の手段の作用は次の通りである。
登録者端末に於いて、登録手段によって、撮影された画像の内の所望画像に対してその分類及び詳細情報を含む属性情報を付加して登録し、送信手段によって、この登録された画像とその属性情報を上記画像保管サーバに対して上記通信回線を介して送信すると、画像保管サーバは、受信手段で、その通信回線を介して送信されてきた各情報を受信し、保管手段によって、この受信された各情報を保管する。また、該画像保管サーバの送信手段は、利用者端末毎に対応付けられた予約分類を記憶し、上記保管手段に保管された画像及びその属性情報の内で、上記予約分類に該当する画像及びその属性情報をセレクトし、該セレクトされた画像及びその属性情報を、対応する利用者端末に送信する。そして、利用者端末では、画像保管サーバから受信された画像及びその属性情報をファイリングし、各種形態に変換して出力する。従って、異なる構造の画像データベースを持つものの間で、通信ネットワークを介して、画像情報を容易に相互利用できるようになる。
【０００９】
請求項２の発明の手段は次の通りである。
上記請求項１の発明において、上記登録者端末の登録手段は、画像登録の際、対象画像を圧縮変換する。上記登録者端末の送信手段は、この圧縮変換された画像と上記属性情報とを対応付けて上記画像保管サーバに送信する。上記利用者端末は、上記画像保管サーバから圧縮画像を受信すると、その圧縮画像を解凍して、その画像に対応する上記属性情報と共にファイリングする。
【００１０】
請求項２の発明の手段の作用は次の通りである。
登録者端末の登録手段での画像登録の際に、対象画像を圧縮変換し、送信手段は、この圧縮変換された画像と上記属性情報とを対応付けて上記画像保管サーバに送信する。よって、画像保管サーバでは、この圧縮画像を保管し、利用者端末に送信することになるので、利用者端末は、このような圧縮画像を受信すると、その圧縮画像を解凍して、その画像に対応する上記属性情報と共にファイリングする。従って、通信回線を流れるデータ量を少なくして通信時間を短くすることができると共に、保管サーバでのデータ保管用のハードディスク容量も節約できるようになる。
【００１１】
請求項３の発明の手段は次の通りである。
上記請求項１の発明において、上記画像保管サーバの保管手段は、各利用者端末向けの画像保管ボックスを有し、上記予約分類をその画像保管ボックスに対応付けて記憶する。上記画像保管サーバの送信手段は、上記セレクトされた画像及び属性情報を、上記保管手段の対応する画像保管ボックスに保管し、この画像保管ボックスに保管された画像及び属性情報を、上記利用者端末からのアクセスに応じて送信する。
【００１２】
請求項３の発明の手段の作用は次の通りである。
画像保管サーバの保管手段は、各利用者端末向けの画像保管ボックスを有し、上記予約分類をその画像保管ボックスに対応付けて記憶し、また、送信手段は、上記セレクトされた画像及び属性情報を、上記保管手段の対応する画像保管ボックスに保管し、この画像保管ボックスに保管された画像及び属性情報を、上記利用者端末からのアクセスに応じて送信する。従って、利用者端末は自己に向けられた画像保管ボックスにしかアクセスできないので、データセキュリティが確保できる。
【００１３】
請求項４の発明の手段は次の通りである。
上記請求項１の発明において、上記登録者端末と利用者端末とは、同一端末である。
【００１４】
請求項４の発明の手段の作用は次の通りである。
登録者端末と利用者端末とは一つの端末で兼用することができる。即ち、一つの端末が、画像を画像保管ボックスに送信するときには登録者端末となり、画像を画像保管ボックスから受信するときには利用者端末となる。従って、一つの会社で登録者端末と利用者端末を別個に用意する必要をなくすことができる。
【００１５】
請求項５の発明の手段は次の通りである。
データベースレコードに対応する入力項目の表示画面を設定する際に、上記データベースレコードの項目一覧を上記表示画面上に表示する処理と、上記表示されたデータベースレコードの項目一覧の中で所望項目をドラッグ操作で指定し、その指定された項目を上記表示画面上の所望する位置にドロップ操作することにより、その表示画面上でドロップされた位置に上記指定項目を設定する処理と、リンク対象となるファイルの参照レコードの項目一覧を上記表示画面上に表示する処理と、上記表示された参照レコードの項目一覧の中で所望項目をドラッグ操作で指定し、その指定された項目を上記表示画面上に設定された所望の項目位置にドロップ操作することにより、その表示画面上でドロップされた位置の項目と上記設定項目とのデータリンクを設定する処理と、をコンピュータに実行させる命令を含むプログラムを格納した、コンピュータが読み取り可能な記録媒体。
【００１６】
請求項５の発明の手段の作用は次の通りである。
コンピュータが読み取り可能な記録媒体に格納されたプログラムを読み取って処理を実行するコンピュータは、データベースレコードに対応する入力項目の表示画面を設定する際に、上記データベースレコードの項目一覧を上記表示画面上に表示する処理と、上記表示されたデータベースレコードの項目一覧の中で所望項目をドラッグ操作で指定し、その指定された項目を上記表示画面上の所望する位置にドロップ操作することにより、その表示画面上でドロップされた位置に上記指定項目を設定する処理と、リンク対象となるファイルの参照レコードの項目一覧を上記表示画面上に表示する処理と、上記表示された参照レコードの項目一覧の中で所望項目をドラッグ操作で指定し、その指定された項目を上記表示画面上に設定された所望の項目位置にドロップ操作することにより、その表示画面上でドロップされた位置の項目と上記設定項目とのデータリンクを設定する処理とを実行する。従って、上記のような処理をコンピュータに実行させることにより、データベースレコードに対応する入力項目の表示画面を容易に設定できるようになる。
【００１７】
請求項６の発明の手段は次の通りである。
１つの画像ファイルとその画像ファイルの画像に対応した詳細文字情報とを対応付けて複数記憶する処理と、画像検索の際は、各画像ファイルの画像を一覧表示して、その中での所望する画像の選択により、対応する詳細文字情報を呼び出し、選択画像と共に表示する処理と、文字検索の際は、上記詳細文字情報の一部の文字情報を一覧表示し、その中での所望する文字情報の選択により、その詳細文字情報及び対応する画像ファイルを呼び出し、詳細文字情報と画像とを共に表示する処理と、をコンピュータに実行させる命令を含むプログラムを格納した、コンピュータが読み取り可能な記録媒体。
【００１８】
請求項６の発明の手段の作用は次の通りである。
コンピュータが読み取り可能な記録媒体に格納されたプログラムを読み取って処理を実行するコンピュータは、１つの画像ファイルとその画像ファイルの画像に対応した詳細文字情報とを対応付けて複数記憶する処理と、画像検索の際は、各画像ファイルの画像を一覧表示して、その中での所望する画像の選択により、対応する詳細文字情報を呼び出し、選択画像と共に表示する処理と、文字検索の際は、上記詳細文字情報の一部の文字情報を一覧表示し、その中での所望する文字情報の選択により、その詳細文字情報及び対応する画像ファイルを呼び出し、詳細文字情報と画像とを共に表示する処理とを実行する。従って、上記のような処理をコンピュータに実行させることにより、画像と詳細文字情報の検索を容易に行えるようになる。
【発明の効果】
【００１９】
請求項１の発明によれば、異なる構造の画像データベースを持つものの間で、通信ネットワークを介して、画像情報を容易に相互利用することができる。
請求項２の発明によれば、通信回線を流れるデータ量を少なくして通信時間を短くすることができると共に、保管サーバでのデータ保管用のハードディスク容量も節約することができる。
【００２０】
請求項３の発明によれば、利用者端末は自己に向けられた画像保管ボックスにしかアクセスできないので、データセキュリティが確保できる。
請求項４の発明によれば、一つの会社で登録者端末と利用者端末を別個に用意する必要をなくすことができる。
【００２１】
請求項５の発明によれば、データベースレコードに対応する入力項目の表示画面を容易に設定することができる。
請求項６の発明によれば、画像と詳細文字情報の検索を容易に行えるようになる。
【発明を実施するための最良の形態】
【００２２】
以下、本発明の一実施の形態を図１の（Ａ）乃至図１２を参照して説明する。
図１の（Ａ）は、一実施の形態の画像通信システムの構成を示す図であり、ネットワーク１により、端末２Ａ，２Ｂ，…，２ａ，２ｂ，２ｃ，…それぞれと保管センタ（サーバ）３が相互に接続されている。
【００２３】
ここで、端末２Ａ，２Ｂ，…は、画像情報の登録元となる端末であり、端末２ａ，２ｂ，２ｃ，…は、画像情報の利用先となる端末である。この場合、端末２Ａ，２Ｂ，…は、端末２ａ，２ｂ，２ｃ，…に撮影機能が加わったものであるが、両者が同一端末であっても良いことは勿論である。
【００２４】
従って、各端末２Ａ，２Ｂ，…，２ａ，２ｂ，２ｃ，…の構成は、同一とすることができ、図１の（Ｂ）に示すように、コンピュータ２１、上記ネットワーク１と接続するための通信インターフェース（ＩＦ）２２、着脱可能なディジタルカメラ２３、キーボード，マウス２４、プリンタ２５、表示部２６、フロッピー（登録商標）ディスク（ＦＤ）ドライブ２７、ＣＤ−ＲＯＭドライブ２８、及びハードディスク（ＨＤ）２９から構成される。
【００２５】
ここで、コンピュータ２１は、内部メモリ２１１を有し、該内部メモリ２１Ａに展開されたアプリケーションソフトに従って当該端末全体を制御する。このアプリケーションソフトは、ＦＤやＣＤ−ＲＯＭにより又はネットワーク１より供給され、ＦＤドライブ２７やＣＤ−ＲＯＭドライブ２８によって読み出され又は通信ＩＦ２２を介して受信されて、ＨＤ２９に格納され、実行時に該内部メモリ２１Ａに展開される。
【００２６】
また、ＨＤ２９は、このようなアプリケーションソフトに加えて、各種ファイルを格納する。図１の（Ｃ）は、その各種ファイルの代表的なものを示す図で、画像ファイル２９１、文字ファイル２９２、登録画像ファイル２９３、画面設定情報ファイル２９４、マスタファイル２９５＃１、マスタファイル２９５＃２、等を含む。
【００２７】
ここで、画像ファイル２９１は、ディジタルカメラ２３により商品を撮影して得られた複数の商品画像データを格納するものである。
文字ファイル２９２は、キーボードにより入力された商品コードをキーとして、キーボードにより入力されたあるいはマスタファイル２９５より読み出された属性情報を格納するものであり、また、登録画像ファイル２９３は、上記画像ファイル２９１から選択され適宜編集された商品画像データを、その商品コードをキーとして格納するものである。さらに、これらの文字ファイル２９２及び登録画像ファイル２９３は、通信ＩＦ２２を介して受信した属性情報と商品画像データを格納する。なおここで、商品コードとは、例えばバーコードシンボルの一つであるＪＡＮコードとして利用できる１３桁の数字である。
【００２８】
画面設定情報ファイル２９４は、上記文字ファイル２９２及び登録画像ファイル２９３への属性情報データ及び商品画像データの登録時に、表示部２６に表示される登録画面の画面構成情報等を格納するものである。
【００２９】
そして、マスタファイル２９５（＃１，＃２，…）はそれぞれ、商品コードをキーとして、当該商品についての属性情報を全て格納した商品マスタファイルである。
【００３０】
図２の（Ａ）は、サーバ３の構成を示す図であり、内部メモリ３１１を有するコンピュータ３１、上記ネットワーク１と接続するための通信ＩＦ３２、受信データを格納するためのＨＤ３３、及び送信用のデータを格納するための商品データボックスとして機能するＨＤ３４からなる。
【００３１】
受信用ＨＤ３３は、図２の（Ｂ）に示すように、登録元端末２Ａ，２Ｂ，…毎にファイルを構成し、該受信用ＨＤ３３の各登録元端末対応のファイルはそれぞれ、文字ファイル、圧縮画像ファイル、開示先、開示時期を個別に記憶する。ここで、開示先とは当該商品画像情報を利用可能な利用先端末を示すＩＤ情報であり、開示時期とは、利用可能な期間を示す情報である。また、圧縮画像ファイルは、ネットワーク上を流れるデータ量を少なくするために、登録元端末の登録画像ファイル内の各画像データが、送信に先立って圧縮されるもので、この圧縮した画像データを含む画像ファイルを画像圧縮ファイルと称するものとする。
【００３２】
同様に、送信用ＨＤ３４も、同図に示すように、利用先端末２ａ，２ｂ，２ｃ，…毎にファイルを構成しており、該送信用ＨＤ３４の各利用先端末対応のファイルはそれぞれ、個別に、予約項目名及び予約キーワード（本実施の形態では商品コード）データに一致するレコード及び圧縮画像ファイルを記憶する。なお、予約項目名及び予約キーワードは、各利用先端末から送信されてくるものであり、内部メモリ３１１、あるいはＨＤ３３，３４の所定の領域に記憶しておくものとする。
【００３３】
即ち、コンピュータ３１は、受信用ＨＤ３３の各登録元端末対応ファイルに格納された文字ファイル及び圧縮画像ファイルを、開示先及び開示時期が該当する各利用先端末に割り当てられた送信用ＨＤ３４の利用先端末対応ファイルに転送格納する。ただしこの際、当該利用先端末から予約項目名及び予約キーワードデータが指定されているときには、それに一致するデータのみを転送格納する。
【００３４】
次に、このような構成に於ける動作を説明する。
図３の（Ａ）は、各端末２Ａ，２Ｂ，…，２ａ，２ｂ，２ｃ，…のコンピュータ２１で実行される画像流通システムアプリケーションソフトの動作フローチャートである。
【００３５】
即ち、まず表示部２６にメインメニューを表示し（ステップＳ１）、ユーザーのキーボード，マウス２４によっるメニュー選択に応じて（ステップＳ２）、選択された処理、即ち撮影（ステップＳ３）、画面設定（ステップＳ４）、ファイル登録（ステップＳ５）、検索（ステップＳ６）、送信／受信（ステップＳ７）、画像活用（ステップＳ８）を行う。
【００３６】
上記ステップＳ３に於ける撮影処理は、図３の（Ｂ）に示すようにして行われる。即ち、まずディジタルカメラ２３がコンピュータ２１に接続されたならば（ステップＳ３１）、絞り、色バランス、シャッタ速度、ズーム等のカメラ制御を行って（ステップＳ３２）、商品を撮影する（ステップＳ３３）。そして、得られた画像データを取り込んで、ＨＤ２９の画像ファイル２９１に格納する（ステップＳ３４）。
【００３７】
また、上記ステップＳ４に於ける画面設定処理は、図４示すようにして行われる。即ち、まずＨＤ２９の画面設定情報ファイル２９４から予め設定されている標準項目を含む設定用画面を表示部２６に表示し（ステップＳ４１）、ユーザーのキーボード，マウス２４によっるメニュー選択に応じて（ステップＳ４２）、選択された処理を行う。ここで、メニュー選択は、各処理をキーボートのファンクションキーに割り当てておくことや、マウスの右ボタンクリック操作に応じてメニューウィンドウを開くようにすることなどで、処理を選択できるようになっている。
【００３８】
そして、項目追加処理が選択されたときには、図５に示すように、設定用画面２６１上に項目リスト（例えば８０項目）のウィンドウ２６２を表示する（ステップＳ４３）。ここで、項目リストウィンドウ２６２に全ての項目名を表示しきれない場合には、マウスによるスクロールバーの操作によりスクロール表示されるような表示方式が取られる。また、この設定用画面２６１上には、商品画像を表示するための画像表示ウィンドウ２６３と、設定項目の入力表示用の設定画面ウィンドウ２６４とが表示されるが、上記項目リストウィンドウ２６２は、後者の設定画面ウィンドウ２６４に被さらないように表示される。そして、ユーザーが追加しようとする項目名をこの項目リストウィンドウ２６２からマウスの左ボタン操作によりドラッグし、上記設定画面ウィンドウ２６４上でドロップすることにより、その位置又は所定の位置に、その項目名と対応する入力表示域を追加表示する（ステップＳ４４）。その後、この修正された設定内容を画面設定情報ファイル２９４に登録する（ステップＳ４５）。なお、上記設定画面ウィンドウ２６４には、予め幾つかの共通項目がデフォルトで登録されており、これら共通項目については位置の移動を除いて変更できないようになっている。
【００３９】
一方、項目変更処理が選択されたときには、ユーザーが上記設定画面ウィンドウ２６４上で変更しようとする項目のマウス操作等による指定の後（ステップＳ４６）、当該項目の変更操作に応じて、配置位置、文字名称、表示サイズ、表示色等の変更を行う（ステップＳ４７）。この変更操作については、各種データベースアプリケーションソフトにて行われていることであるので、その詳細については省略する。その後、上記ステップＳ４５に進んで、この修正された設定内容を画面設定情報ファイル２９４に登録する。
【００４０】
また、項目削除処理が選択されたときには、ユーザーによって上記設定画面ウィンドウ２６４上で削除しようとする項目がマウス操作等により指定されると（ステップＳ４８）、当該項目を削除し（ステップＳ４９）、その後、上記ステップＳ４５に進んで、この修正された設定内容を画面設定情報ファイル２９４に登録する。なお、この項目の削除についても、上記ステップＳ４４に於ける項目登録の場合と同様に、マウスのドラッグアンドドロップ操作によって行うことも可能である。即ち、削除しようとする上記設定画面ウィンドウ２６４上の項目をマウスの左ボタン操作によりドラッグし、上記項目リストウィンドウ２６２上でドロップすることにより、当該項目の削除がなされる。
【００４１】
そして、データリンク処理が選択されたときには、ユーザーによってデータリンクすべきマスタファイル２９５が選択指定されると（ステップＳ４Ａ）、図６にセルウィンドウ２６５として示すように、その指定されたマスタファイルの内容即ち参照項目名をセル形式でウィンドウ表示する（ステップＳ４Ｂ）。ここで、ユーザーがリンクしようとする参照項目をこのセルウィンドウ２６５からマウスの左ボタン操作によりドラッグし、上記設定画面ウィンドウ２６４上の項目位置でドロップすることにより、その位置の項目とリンク先のマスタファイル２６５の項目（セル）とのリンクが設定される（ステップＳ４Ｃ）。この場合、どの項目とマスタファイル２６５のどのセルとがリンクされたかを示すために、セルウィンドウ２６５の該当セルに対応する項目名が表示され、また設定画面ウィンドウ２６４上の該当項目の文字入力領域に対応するセル番号等が表示される。その後、上記ステップＳ４５に進んで、この修正された設定内容を画面設定情報ファイル２９４に登録する。
【００４２】
なお、画面設定情報ファイルに２９４には、例えば、各顧客別などのように、複数の画面を登録することが可能となっている。
また、上記ステップＳ５に於けるファイル登録処理は、図７に示すようにして行われる。即ち、まずＨＤ２９の文字ファイル２９２のレコードに基づいて新規レコードを作成する（ステップＳ５１）。ここで、文字ファイル２９２のレコードは、図２の（Ｃ）に示すように、キーコードとしてのＪＡＮコードで表される商品コードと、リンク先のマスタファイルの項目である商品名、メーカー名、商品サイズ、等々からなる。
【００４３】
そして、図８に示すような登録用画面２６６を表示部２６に表示する（ステップＳ５２）。この登録用画面２６６は、画像表示ウィンド２６２と、登録画面ウィンド２６７よりなる。後者の登録画面ウィンド２６７は、上記画面設定処理で設定され、画面設定情報ファイル２９４に格納された上記設定画面ウィンドウ２６４が呼び出されて、登録画面ウィンド２６７として表示されるものである。
【００４４】
そして、この登録画面ウィンド２６７において、当該新規レコードについてのどのような操作を行うか判断する（ステップＳ５３）。
文字入力を行う場合には、ユーザーは、まず、登録画面ウィンドウ２６７の項目名「商品コード」に対応する入力表示域に、登録しようとする商品の商品コードをキーボードより入力する（ステップＳ５４）。勿論、キーボードだけでなく、バーコードリーダ等を使って直接商品から商品コードを入力することも可能である。その後、その他の項目を指定して（ステップＳ５５）、文字入力することで（ステップＳ５６）、その入力された文字をレコード内項目として記録する（ステップＳ５７）。そして、まだ全項目についての入力が終わっていないときには（ステップＳ５８）、上記ステップＳ５５に戻り、全ての項目についての入力が終わった場合には、さらに、当該新規レコードについての全ての操作が終了したかどうか判断し（ステップＳ５９）、まだであれば上記ステップＳ５３に戻る。
【００４５】
また、上記ステップＳ５３に於いて、外部の画像ファイルの読み込み（ｂｍｐ（ビットマップ）形式）を行うと判断した場合には、画像ファイル２９１を呼び出して（ステップＳ５Ａ）、その画像ファイル２９１の内容つまり複数の画像データを一覧表示する（ステップＳ５Ｂ）。ここで、ユーザーにより画像の選択がなされると（ステップＳ５Ｃ）、その選択画像を画像表示ウィンドウ２６３に表示し、必要に応じて、画像編集処理が行われる（ステップＳ５Ｄ）。そして、編集後の画像に、上記ステップＳ５４で入力された商品コードを付けて、また、当該画像が保管センタ（サーバ）３に送信すべき画像であることほユーザーが指定した場合には、そのことを示すための保管センタ登録項目フラグと共に、登録画像ファイル２９３に登録する（ステップＳ５Ｅ）。その後、上記ステップＳ５９に進んで、当該新規レコードについての全ての操作が終了したかどうか判断し、まだであれば上記ステップＳ５３に戻る。
【００４６】
一方、上記ステップＳ５３に於いて、外部文字ファイルリンクの設定があると判断された場合には、上記登録画面ウィンドウ２６７で各項目を一々入力していく必要はなく、上記ステップＳ４Ａの画面設定処理におけるマスタファイル指定に基づいて、リンク先のマスタファイル２９５を自動的に指定して（ステップＳ５Ｆ）、商品コードが一致するレコードの中で参照項目のデータを読み出し（ステップＳ５Ｇ）、参照項目のデータをレコード内項目のデータとして記録する（ステップＳ５Ｈ）。その後、上記ステップＳ５９に進んで、当該新規レコードについての全ての操作が終了したかどうか判断し、まだであれば上記ステップＳ５３に戻る。
【００４７】
而して、ステップＳ５９にて当該新規レコードについての全ての操作が終了したと判断したならば、この新規レコードを文字ファイル２９２に登録する（ステップＳ５Ｉ）。そして、さらに別の新規レコードを作成する場合には（ステップＳ５Ｊ）、上記ステップＳ５１に戻って、上記の処理を繰り返す。
【００４８】
つまり、このファイル登録処理は、図２の（Ｄ）に示すように、画像ファイル２９１の画像データを参照して、データベースとしての文字ファイルと登録画像ファイルに文字及び画像を登録するものである。
【００４９】
また、上記ステップＳ６に於ける検索処理は、図９の（Ａ）に示すようにして行われる。即ち、まずメニュー選択により文字を検索するのか画像を検索するのかをユーザーが選択する（ステップＳ６１）。
【００５０】
そして、文字検索を行う場合には、ＨＤ２９の文字ファイル２９２内のレコードを、図１０に示すように、検索用画面２６８に文字一覧ウィンドウ２６９として表示する（ステップＳ６２）。なお、この検索用画面２６８は、検索結果に従った画像を表示するための画像表示ウィンド２６２と、検索結果に従った各項目を表示するための検索画面ウィンド２６Ａを含む。後者の検索画面ウィンド２６Ａのフォーマットは、画面設定情報ファイル２９４に格納された上記設定画面ウィンドウ２６４のものが利用される。
【００５１】
而して、この文字一覧ウィンドウ２６９上での既知の検索条件入力等に従って文字検索を行う（ステップＳ６３）。即ち、検索条件に文字入力やコード入力によるダイレクト（もしくは一部合致した項目）入力、分類名をプルダウンメニューで選択し、該当項目を呼び出す項目検索を行う。そして、検索された文字レコードに対応する商品コードにより、登録画像ファイル２９３より登録画像を呼び出し（ステップＳ６４）、この検索された文字レコードの各項目内容を検索画面ウィンド２６Ａに表示すると共に呼び出した登録画像を画像表示ウィンド２６２に表示する（ステップＳ６５）。
【００５２】
一方、画像検索が選択された場合には、ＨＤ２９の登録画像ファイル２９３内の登録画像を、図１１に示すように、検索用画面２６８に画像一覧ウィンドウ２６Ｂとして表示する（ステップＳ６６）。ここで、ユーザーがこの画像一覧ウィンドウ２６Ｂ上から所望の画像を選択すると（ステップＳ６７）、その選択された画像に対応する商品コードにより、文字ファイル２９２より文字レコードを呼び出す（ステップＳ６８）。そして、上記ステップＳ６５に進み、選択された登録画像を画像表示ウィンド２６２に表示すると共に、呼び出した文字レコードの各項目内容を検索画面ウィンド２６Ａに表示する。なおこの場合、呼び出した文字レコードのデータにどういった画像が登録されているのか、開示条件はどうなっているのかをチェックマークで表現し、一目で確認できるようにすることが好ましい。
【００５３】
また、上記ステップＳ７に於ける送信／受信処理は、図９の（Ｂ）に示すようにして行われる。即ち、まずユーザが送信を行うか受信を行うかを選択し（ステップＳ７１）、送信を行う場合には、登録画像ファイル２９３内で、上記登録の際に保管センタ登録項目フラグが立てられた画像をピックアップし、それらピックアップされた各画像を圧縮し、生成された圧縮画像をＨＤ２９内に設けた不図示の圧縮画像ファイルに一時的に格納する（ステップＳ７２）。そして、ユーザーが開示時期及び開示先を指定すると（ステップＳ７３）、上記圧縮画像ファイルと文字ファイル２９２のデータつまり属性情報に、開示時期及び開示先のＩＤを付加して、通信ＩＦ２２よりネットワーク１を介して保管センタ（サーバ）３へ送信する（ステップＳ７４）。なお、上記ステップＳ７３での開示時期及び開示先の指定は、前述の登録処理時に設定しておくことも可能である。
【００５４】
一方、受信を行う場合には、通信ＩＦ２２によりネットワーク１を介して保管センタ（サーバ）３にアクセスして（ステップＳ７５）、自社に割り当てられた送信用ＨＤ３４つまり商品データボックスを開き（ステップＳ７６）、未開封ファイルを受信する（ステップＳ７７）。この未開封ファイルは、圧縮画像ファイルと属性情報よりなる。よって、まずこの圧縮画像ファイル内の各画像を解凍して、ＨＤ２９内に設けた不図示の利用画像ファイルに一時的に格納する（ステップＳ７８）。そして、この利用画像ファイルを登録画像ファイル２９３に保存し、また属性情報を文字ファイル２９２に保存する（ステップＳ７９）。その後、まだ未開封のファイルがあれば（ステップＳ７Ａ）、上記ステップＳ７７に戻って上記の処理を繰り返す。
【００５５】
また、上記ステップＳ８に於ける画像活用処理は、例えば、棚割表作成、新商品紹介表の作成、画像付き商品台帳の作成、等のマウスのドラッグアンドドロップ操作でユーザーが自由に出力設計できる既知の処理であり、よってこれらについては詳述しない。
【００５６】
次に、保管センタ（サーバ）３の動作を説明する。
図１２は、保管センタ３のコンピュータ３１で実行される動作フローチャートであり、まず、通信ＩＦ３２によりネットワーク１上の登録元端末からファイルの受信があると（ステップＳ９１）、そのファイルを受信して（ステップＳ９２）、受信用ＨＤ３３のその登録元端末対応のファイルに格納する（ステップＳ９３）。
【００５７】
一方、ファイルの受信がないときには、受信用ＨＤ３３の各登録元端末対応のファイルに順次アクセスして、開示時期が現在に相当するファイルがあるかどうか判別する（ステップＳ９４）。開示時期が現在のファイルがなければ、上記ステップＳ９１に戻るが、あった場合には、そのファイルを抽出する（ステップＳ９５）。そして、１ファイルに於ける１開示先の送信用ＨＤ３４つまり商品データボックスを指定し（ステップＳ９６）、該商品データボックスにキーワードの予約があるかどうか判定する（ステップＳ９７）。キーワード予約があれば、予約項目、予約キーワードに一致する圧縮画像ファイルを上記抽出した開示時期が現在のファイルから抽出して、商品データボックスへ格納する（ステップＳ９８）。これに対して、キーワード予約がない場合には、上記抽出した開示時期が現在のファイル内の全レコード、対応する前画像ファイルを商品データボックスへ格納する（ステップＳ９９）。なお、予約項目や予約キーワードは、特にフローチャートには示さなかったが、各利用先端末によって設定し、送信されてきたものを保存しておくようになっている。その後、上記抽出した開示時期が現在のファイルに他の開示先が指定されていれば（ステップＳ９Ａ）、上記ステップＳ９６に戻って、その開示先に対して上記処理を繰り返す。また、他の開示先がなければ、さらに開示時期が現在に相当する別のファイルの有無を判別し（ステップＳ９Ｂ）、あれば上記ステップＳ９５に戻り、またなければ上記ステップＳ９１に戻る。
以上のようにして、異なる構造の画像データベースを持つものの間で、通信ネットワークを介して、画像情報を容易に相互利用できるようになる。
【図面の簡単な説明】
【００５８】
【図１】（Ａ）は一実施の形態の画像通信システムの構成を示す図、（Ｂ）は（Ａ）中の端末のブロック構成図であり、（Ｃ）は端末のＨＤに設けられた各種ファイルを示す図である。
【図２】（Ａ）は図１の（Ａ）中の保管センタのブロック構成図、（Ｂ）は保管センタの受信用及び送信用ＨＤに設けられた各種ファイルを示す図、（Ｃ）は文字ファイルのレコード構成を示す図であり、（Ｄ）はファイル登録の概略を示す図である。
【図３】（Ａ）は端末のコンピュータで実行される画像流通システムアプリケーションの動作フローチャートであり、（Ｂ）は（Ａ）中の撮影処理の詳細を示すフローチャートである。
【図４】図３の（Ａ）中の画面設定処理の詳細を示すフローチャートである。
【図５】画面設定処理中の表示状態を示す図である。
【図６】画面設定処理中の表示状態を示す図である。
【図７】図３の（Ａ）中のファイル登録処理の詳細を示すフローチャートである。
【図８】ファイル登録処理中の表示状態を示す図である。
【図９】（Ａ）は図３の（Ａ）中の検索処理の詳細を示すフローチャートであり、（Ｂ）は図３の（Ａ）中の送信／受信処理の詳細を示すフローチャートである。
【図１０】検索処理中の表示状態を示す図である。
【図１１】検索処理中の表示状態を示す図である。
【図１２】保管センタのコンピュータで実行される処理のフローチャートである。
【符号の説明】
【００５９】
１  ネットワーク
２Ａ，２Ｂ，２ａ，２ｂ，２ｃ  端末
３  保管センタ（サーバ）
２１，３１  コンピュータ
２２，３２  通信ＩＦ
２３  ディジタルカメラ
２４  キーボート，マウス
２５  プリンタ
２６  表示部
２７  ＦＤ
２８  ＣＤ−ＲＯＭ
２９，３３，３４  ＨＤ
２９１  画像ファイル
２９２  文字ファイル
２９３  登録画像ファイル
２９４  画面設定情報ファイル
２９５  マスタファイル
２１１，３１１  内部メモリ
【図１】
2005243018.tif 000003
【図２】
2005243018.tif 000004
【図３】
2005243018.tif 000005
【図４】
2005243018.tif 000006
【図５】
2005243018.tif 000007
【図６】
2005243018.tif 000008
【図７】
2005243018.tif 000009
【図８】
2005243018.tif 000010
【図９】
2005243018.tif 000011
【図１０】
2005243018.tif 000012
【図１１】
2005243018.tif 000013
【図１２】
2005243018.tif 000014
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
ネットワークを介して登録元端末からの撮影画像情報の保管要求により当該撮影画像情報及び当該撮影画像情報に付加されている属性情報を受信する受信手段と、
前記受信した撮影画像情報及び属性情報を登録元端末別に保管する画像保管手段と、
利用先端末別の予約情報を予め記憶する予約情報記憶手段と、
前記画像保管手段に登録元端末別に保管された撮影画像情報であってその属性情報が前記予約情報記憶手段内の予約情報と一致するものを抽出し、各利用先端末別に送信用ファイルへ格納する処理手段と、
この処理手段により抽出格納されている当該利用先端末の送信用ファイル内の撮影画像情報をネットワークを介して受信する利用先端末と
を具備したことを特徴とする情報保管システム。
【請求項２】
前記利用先端末は、当該利用先端末の前記送信用ファイル内の撮影画像情報より未開封の撮影画像情報を受信する
ことを特徴とする請求項１に記載の情報保管システム。
【請求項３】
受信した撮影画像情報と当該撮影画像情報の利用可能な期間を示す開示時期情報と当該撮影画像情報の利用可能な利用先端末を示す開示先情報を登録元端末別に保管する画像保管手段と、
この画像保管手段に登録元端末別に保管された撮影画像情報をその開示時期情報に応じて抽出し、前記開示先情報に応じて各利用先端末別に送信用ファイルへ格納する処理手段と、
この処理手段により抽出格納されている当該利用先端末の送信用ファイル内の撮影画像情報をネットワークを介して受信する利用先端末と
を具備したことを特徴とする情報保管システム。
【請求項４】
前記画像保管手段は、前記撮影画像情報を抽出するキーワードを保管し、
前記処理手段は、前記画像保管手段に登録元端末別に保管された撮影画像情報を前記キーワードに応じて抽出し、各利用先端末別に送信用ファイルへ格納する
ことを特徴とする請求項３に記載の情報保管システム。
【手続補正３】
【補正対象書類名】明細書
【補正対象項目名】０００１
【補正方法】変更
【補正の内容】
【０００１】
本発明は、画像データを通信により送受信して保管する情報保管システムに関する。
【手続補正４】
【補正対象書類名】明細書
【補正対象項目名】０００６
【補正方法】変更
【補正の内容】
【０００６】
これは、このような企業での利用に限らず、即ち、個人的な画像データとそれについてのコメント等を属性情報として記録した個人的な画像データベースから商用ネットワークを介して他の個人との間で画像情報をやりとりしようとする時においても同様である。
本発明の課題は、ネットワーク環境下において画像データを登録する登録元端末と画像データを利用する利用先端末との間で必要とされる画像情報の送受信を効率よく行わせることできる。
【手続補正５】
【補正対象書類名】明細書
【補正対象項目名】０００７
【補正方法】変更
【補正の内容】
【０００７】
請求項１の発明は、ネットワークを介して登録元端末からの撮影画像情報の保管要求により当該撮影画像情報及び当該撮影画像情報に付加されている属性情報を受信する受信手段と、前記受信した撮影画像情報及び属性情報を登録元端末別に保管する画像保管手段と、利用先端末別の予約情報を予め記憶する予約情報記憶手段と、前記画像保管手段に登録元端末別に保管された撮影画像情報であってその属性情報が前記予約情報記憶手段内の予約情報と一致するものを抽出し、各利用先端末別に送信用ファイルへ格納する処理手段と、この処理手段により抽出格納されている当該利用先端末の送信用ファイル内の撮影画像情報をネットワークを介して受信する利用先端末と、を具備したことを特徴とする。
請求項３の発明は、受信した撮影画像情報と当該撮影画像情報の利用可能な期間を示す開示時期情報と当該撮影画像情報の利用可能な利用先端末を示す開示先情報を登録元端末別に保管する画像保管手段と、この画像保管手段に登録元端末別に保管された撮影画像情報をその開示時期情報に応じて抽出し、前記開示先情報に応じて各利用先端末別に送信用ファイルへ格納する処理手段と、この処理手段により抽出格納されている当該利用先端末の送信用ファイル内の撮影画像情報をネットワークを介して受信する利用先端末とを具備したことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
請求項１の発明によれば、ネットワーク環境下において受信した撮影画像情報及び属性情報を登録元端末別に保管管理し、保管管理されている撮影画像情報から撮影画像情報に付加された属性情報が予約情報と一致するものを抽出して、各利用先端末別に送信用ファイルへ格納しているので、登録元端末は属性情報を付加した撮影画像を随時送信し、利用先端末は送信用ファイル内の抽出された撮影画像情報を随時受信すればよく、登録元端末と利用先端末との間で必要とされる撮影画像情報の送受信を効率よく行わせることできる。
請求項３の発明によれば、ネットワーク環境下において受信した登録元端末別に保管管理されている撮影画像情報を、当該撮影画像情報の開示時期情報及び開示先情報に応じて抽出し、各利用先端末別に送信用ファイルに保管しているので、登録元端末から随時送信された撮影画像データに対して、利用先端末は送信用ファイル内の抽出された撮影画像情報を随時受信すればよく、登録元端末と利用先端末との間で必要とされる撮影画像情報の送受信を効率よく行わせることできる。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】